(57)【要約】【課題】  キャビネットを天井ぎりぎりの位置に、簡単、迅速且つ楽に取り付けることができるようにする。【解決手段】  キャビネット２の取付用具３を、壁面１に固定するベース部材３ａと、このベース部材３ａから壁面１の前方に突き出している軸３ｂと、この軸３ｂに嵌め通して軸３ｂに案内されて進退動作する押さえ部材３ｃと、軸３ｂに螺合されて押さえ部材３ｃを背板２ａを介してベース部材３ａに締め付けるためのナット部材３ｄとで形成する。背板２ａに、軸３ｂに装着された押さえ部材３ｃに嵌め通すための開口部５を形成する。この開口部５を介して押さえ部材３ｃをキャビネット２内に配置させ、軸３ｂを中心に押さえ部材３ｃを回して開口部５を跨いだ状態に配置させる。この状態で押さえ部材３ｃを、ナット部材３ｄで締め付けて背板２ａをベース部材３ａに固定し、キャビネット２を壁面１に取り付ける。【選択図】      図１
2008272288.tif 000002
【特許請求の範囲】
【請求項１】
壁面にキャビネットの取付用具を固定し、この取付用具を介してキャビネットを壁面に取り付けるキャビネットの壁面取付構造であって、上記の取付用具が、壁面に固定されるベース部材と、このベース部材から壁面の前方に突き出されている軸と、この軸に嵌め通されて軸に案内されて進退動作する押さえ部材と、また上記の軸に螺合されて押さえ部材をキャビネットの背板を介してベース部材に締め付けるためのナット部材とで形成され、上記のキャビネットの背板に、軸に装着された押さえ部材に嵌め通すための開口部が形成され、この開口部を介して押さえ部材をキャビネット内に配置させ、軸を中心に押さえ部材を回して開口部を跨いだ状態に配置させ、この状態で押さえ部材を上記のナット部材で締め付けてキャビネットの背板をベース部材に固定し、キャビネットを壁面に取り付けることを特徴とするキャビネットの壁面取付構造。
【請求項２】
請求項１記載のキャビネットの壁面取付構造であって、押さえ部材が、軸に捻じ込まれ、軸の雄螺子に螺合して進退動作自在に形成されていることを特徴とするキャビネットの壁面取付構造。
【請求項３】
請求項１又は２記載のキャビネットの壁面取付構造であって、押さえ部材が略ハット形に形成され、中央の平らな状態の天頂部に軸が通されることを特徴とするキャビネットの壁面取付構造。
【請求項４】
請求項３記載のキャビネットの壁面取付構造であって、押さえ部材が板バネで形成されていることを特徴とするキャビネットの壁面取付構造。
【請求項５】
請求項１乃至４の何れかに記載のキャビネットの壁面取付構造であって、キャビネットの背板の外面に、ベース部材の上面部に引っ掛けて係合させるための係合部が、凸段差状に形成されていることを特徴とするキャビネットの壁面取付構造。
【発明の詳細な説明】
【技術分野】
【０００１】
本発明はキャビネットの壁面取付構造に関し、更に詳しくは例えば台所や洗面脱衣室等の壁面に取り付ける、例えば戸棚等のキャビネットの壁面取付構造に関するものである。
【背景技術】
【０００２】
従来、この種の取付構造としては、例えば壁面に金具を固定し、この金具にキャビネットの背面の引っ掛け金具を引っ掛けたり、或いは壁面に、先端が拡大したネジ状の部材を取り付け、この部材とキャビネットの背板のダルマ孔とを係合させてキャビネットを壁面に取り付けることを特徴としているものがある（例えば特許文献１、２参照）。
【０００３】
而して特許文献１の従来構造は、壁面に固定した金具にキャビネットを引っ掛けるため、キャビネットを金具の位置より高く持ち上げる必要があった。そのためこの従来構造は、キャビネットと天井との間に、所定の隙間を確保しなければならなかったから、これによるとキャビネットを天井ぎりぎりの位置に取り付けることができず、キャビネットの下方のスペースが狭められることになる、という問題点があった。
また特許文献２の従来構造の場合は、キャビネットを上下、左右に微調整しながら、壁面のネジ状の部材に、キャビネットの背板のダルマ孔を嵌め合わす必要があった。
従ってこれによると、この種の係合作業が煩わしく、その結果キャビネットの取り付けに手間暇がかかる、という問題点があった。
【特許文献１】特開平６−３０４０２８号公報
【特許文献２】特開平７−２１３３５７号公報
【発明の開示】
【発明が解決しようとする課題】
【０００４】
本発明は、このような従来構造の問題点に鑑み、提案されたものである。
従って本発明の解決しようとする技術的課題は、キャビネットを天井ぎりぎりの位置に、簡単、迅速且つ楽に取り付けることができるよう形成したキャビネットの壁面取付構造を提供することにある。
【課題を解決するための手段】
【０００５】
本発明は、上記の課題を解決するため、次のような技術的手段を採る。
即ち本発明は、図１等に示されるように、壁面１にキャビネット２の取付用具３を固定し、この取付用具３を介してキャビネット２を壁面１に取り付けるキャビネット２の壁面取付構造であって、上記の取付用具３が、壁面１に固定されるベース部材３ａと、このベース部材３ａから壁面１の前方に突き出されている軸３ｂと、この軸３ｂに嵌め通されて軸３ｂに案内されて進退動作する押さえ部材３ｃと、また上記の軸３ｂに螺合されて押さえ部材３ｃをキャビネット２の背板２ａを介してベース部材３ａに締め付けるためのナット部材３ｄとで形成され、上記のキャビネット２の背板２ａに、軸３ｂに装着された押さえ部材３ｃに嵌め通すための開口部５が形成され、この開口部５を介して押さえ部材３ｃをキャビネット２内に配置させ、軸３ｂを中心に押さえ部材３ｃを回して開口部５を跨いだ状態に配置させ、この状態で押さえ部材３ｃを上記のナット部材３ｄで締め付けてキャビネット２の背板２ａをベース部材３ａに固定し、キャビネット２を壁面１に取り付けることを特徴とする（請求項１）。
【０００６】
本発明の場合、押さえ部材３ｃは、例えば金属材で長板状や棒状等に形成されることにより実現される。また開口部５は、通常、押さえ部材３ｃと形状が同じで大きさが僅かに大きい状態に形成されるが、押さえ部材３ｃと形状が異なる状態に形成されているのでも良い。
【０００７】
また本発明は、図１Ｃ等に示されるように、押さえ部材３ｃが、軸３ｂに捻じ込まれ、軸３ｂの雄螺子に螺合して進退動作自在に形成されているのが好ましい（請求項２）。
なぜならこれによると、押さえ部材３ｃの向きを任意の状態に維持でき、また押さえ部材３ｃをベース部材３ａから離して高さをセットでき、キャビネット２の開口部５を押さえ部材３ｃに嵌め通すと、押さえ部材３ｃがキャビネット２内に配置され、作業が容易になることからである。
【０００８】
また本発明は、図１Ａ等に示されるように、押さえ部材３ｃが略ハット形に形成され、中央の平らな状態の天頂部３ｃ１に軸３ｂが通されるのが好ましい（請求項３）。
なぜならこれによると、ナット部材３ｄの締め付け力を押さえ部材３ｃの両端部に分散して両端部の位置に締め付け力を集中させて堅固に固定できるからである。ここで、略ハット形とは、天頂部３ｃ１と、この天頂部３ｃ１の両側から立ち下がる脚片部３ｃ２と、この脚片部３ｃ２の下端から外側方に水平に延びる接地片部３ｃ３とで、押さえ部材３ｃの断面形状がシルクハット形に形成されている、ということを意味する。押さえ部材３ｃは、具体的には方形波状に形成されたり、上記の脚片部３ｃ２がハの字形に傾斜され、山形状に形成されることで実現される。
【０００９】
またこの本発明の場合は、押さえ部材３ｃが板バネで形成されているのが好ましい（請求項４）。
なぜならこれによると、板バネの復元力で、ナット部材３ｄの緩みを防止できると共に、押さえ部材３ｃの接地片部３ｃ３を背板２ａに圧着でき、より堅固に押さえ部材３ｃを締め付けることができるからである。
【００１０】
また本発明は、図１Ｃ等に示されるように、キャビネット２の背板２ａの外面に、ベース部材３ａの上面部３ａ１に引っ掛けて係合させるための係合部６が、凸段差状に形成されているのが好ましい（請求項５）。
なぜならこれによると、キャビネット２を懸吊した状態で作業を行うことができ、押さえ部材３ｃの回し操作や、ナット部材３ｄの締め付け操作を容易化できるからである。またこれによると、キャビネット２をナット部材３ｄの締め付け力だけではなく、ベース部材３ａの上面部３ａ１で支持でき、キャビネット２を安定した状態で取り付けることができるからである。
【発明の効果】
【００１１】
本発明は、このように形成されているから、これによれば、天井ぎりぎりの高さにキャビネットを取り付けることができ、キャビネットの下方の台所等の空間を広げることができる。
また本発明は、上記のように、軸に押さえ部材を横向き、或いは縦向き等に予め取り付け、その状態の押さえ部材に開口部をあてがって通し、押さえ部材を回して開口部を跨いだ状態に配置させ、ナット部材で締め付けてキャビネットを壁面に取り付けるものである。
従って本発明の場合は、例えば壁面のネジ状の部材と、キャビネット側の小さなダルマ孔とを係合させるような従来構造に比べ、キャビネットの前側から、ある程度開口面積のある開口部を介して押さえ部材を良く見て作業を進めることができる。それ故これによれば、この種の係合作業を容易化でき、施工に係る手間暇を軽減化できる。
【発明を実施するための最良の形態】
【００１２】
以下、本発明を実施するための最良の形態を説明する。
本発明は、図１等に示されるように、壁面１にキャビネット２の取付用具３を固定し、この取付用具３を介してキャビネット２を壁面１に取り付けるキャビネット２の壁面取付構造である。
【００１３】
上記の取付用具３は、壁面１に固定されるベース部材３ａと、このベース部材３ａから壁面１の前方に突き出されている軸３ｂと、この軸３ｂに嵌め通されて軸３ｂに案内されて進退動作する押さえ部材３ｃと、また上記の軸３ｂに螺合されて押さえ部材３ｃをキャビネット２の背板２ａを介してベース部材３ａに締め付けるためのナット部材３ｄとで形成されている。ベース部材３ａは、例えば長板状の金属板で形成され、ネジ４で壁面１に固定される。軸３ｂは、この実施形態では長手方向の全体にわたって雄螺子状に形成されている。また押さえ部材３ｃは、長方形の板バネで、略ハット形に形成され、中央の平らな状態の天頂部３ｃ１に軸３ｂが通されている。押さえ部材３ｃの脚片部３ｃ２はハの字形に傾斜され、下端の接地片部３ｃ３は外側方に水平に曲げられている。またこの押さえ部材３ｃは、この実施形態では軸３ｂに捻じ込まれ、軸３ｂの雄螺子に螺合して進退動作自在に形成されている。またナット部材３ｄは、手動で締め付け操作を簡単にできるよう、蝶ナットが用いられている。
【００１４】
５は、軸３ｂに装着された押さえ部材３ｃに嵌め通すための開口部である。この開口部５は、キャビネット２の背板２ａに形成され、この実施形態では押さえ部材３ｃと同じ長方形に形成され、押さえ部材３ｃより僅かに大きい状態に形成されている。
【００１５】
またキャビネット２は、その背板２ａの外面に、ベース部材３ａの上面部３ａ１に引っ掛けて係合させる係合部６が、凸段差状に形成されている。係合部６の突き出し距離は、ベース部材３ａの厚さに選定され、背板２ａの外面が壁面１に接すると、係合部６の下面がベース部材３ａの上面部３ａ１に係合するよう形成されている。
【００１６】
次にキャビネット２の取付例を説明する。
作業者は、先ずベース部材３ａを壁面１の少なくとも左右の位置にネジ４で固定し、次に押さえ部材３ｃを軸３ｂに捻じ込む。この場合、作業者は、キャビネット２の背板２ａの厚さより、ベース部材３ａと押さえ部材３ｃとの間隔を大きく離して押さえ部材３ｃを横向きに配置する。そして作業者は、この種の作業を壁面１の少なくとも左右の位置で行い、その後、キャビネット２を持ち上げ、開口部５を押さえ部材３ｃに前側から嵌め挿す（図６参照）。この際、作業者は、作業を容易化できるよう、背板２ａの係合部６をベース部材３ａの上面部３ａ１に引っ掛けて係合させ、キャビネット２をベース部材３ａに支持させて行なう。
【００１７】
而して押さえ部材３ｃは、上記の通り、ベース部材３ａから所定の間隔をあけて配置されているから、この実施形態の本発明の場合は、作業者が開口部５を押さえ部材３ｃに嵌め挿すと、開口部５を介して押さえ部材３ｃがキャビネット２内に配置される。そこで作業者は、図１Ｂに示されるように、軸３ｂを中心に押さえ部材３ｃを、例えば９０度、時計方向に回し、開口部５を跨いだ状態で縦向きに配置する。そして作業者は、ナット部材３ｄを回して押さえ部材３ｃを締め付け、キャビネット２の背板２ａをベース部材３ａに取り付ける。この場合、押さえ部材３ｃは、この実施形態では板バネで、且つ略ハット形に形成されているから、ナット部材３ｄで締め付けると変形し、その復元力でナット部材３ｄの緩みを止め、また押さえ部材３ｃの接地片部３ｃ３が背板２ａをスポット的に押し付け、背板２ａをベース部材３ａに堅固に固定する。
なお本発明は、上記のように構成されているため、開口部５に押さえ部材３ｃを嵌め挿した後、押さえ部材３ｃを回してナット部材３ｄで締め付ける前に、キャビネット２を正面側からスライドさせることで、キャビネット２の取付位置を調整できる。また本発明によると、この調整の際に、キャビネット２を上方へスライドさせることで、より天井に近い位置にキャビネット２を取り付けることができる。
【００１８】
以上の処において、本発明は、図７に示されるように、押さえ部材３ｃが縦向きに配置されるのでも良い。この実施形態の場合、開口部５は、キャビネット２の背板２ａに縦向きに形成されている。従って作業者は、開口部５を押さえ部材３ｃに嵌め挿した後、図８に示されるように、例えば時計方向に９０度回し、押さえ部材３ｃを横向きにして開口部５を跨いだ状態に配置し、この状態でナット部材３ｄを締め付けて背板２ａをベース部材３ａに固定する（図９参照）。
【００１９】
また本発明は、図１０に示されるように、ベース部材３ａを壁面１に横向きにネジ４で固定し、押さえ部材３ｃを縦向きに配置して実現されるのでも良い。この実施形態の場合は、開口部５が、図１１に示されるように、縦向きに形成される。作業者は、図１３に示されるように、開口部５を、縦向きの押さえ部材３ｃに嵌め挿し、その後、図１４Ａに示されるように、押さえ部材３ｃを、例えば時計方向に９０度回して横向きにし、開口部５を跨いだ状態に配置する。そして同図Ｂに示されるように、ナット部材３ｄで締め付けてキャビネット２を壁面１に取り付ける。この実施形態の場合は、ベース部材３ａが横向きのため、キャビネット２の係合部６との係合範囲（係合距離）が横方向に長くなり、その結果キャビネット２の引っ掛け状態、支持状態を安定化できる、という利点がある。
【００２０】
また上例では、押さえ部材３ｃ、開口部５とも長方形に形成されているが、本発明の場合、これらの部材の形状は任意である。従って本発明は、例えば押さえ部材３ｃと開口部５が共に十字形に形成され、押さえ部材３ｃを、軸３ｂを中心に例えば４５度回して配置し、ナット部材３ｄで締め付けるよう形成されるのでも良い。即ち本発明は、要は、開口部５を押さえ部材３ｃに嵌め通し、開口部５を跨いだ状態で押さえ部材３ｃの配置が可能になるよう形成されているのであれば良い。なお押さえ部材３ｃが、上記のように、十字形に形成される場合は、押さえ部材３ｃと背板２ａとの接触部が増加するため、上例のような２箇所の場合より、上下、左右の計４箇所でバランス良く、且つ接触部が増加する分だけしっかりと、背板２ａを締め付けることができる。
【図面の簡単な説明】
【００２１】
【図１】本発明の取付構造の好適な一実施形態を示し、Ａは取付用具の斜視図、Ｂは取付作業を説明するための要部正面図、ＣはＢのＣ−Ｃ線断面図である。
【図２】キャビネットの取付状態を示す要部斜視図である。
【図３】キャビネットの取付例を説明するための要部正面図である。
【図４】図３のＩＶ−ＩＶ線におけるキャビネットの要部断面図である。
【図５】取付用具のベース部材と押さえ部材との関係を示す正面図である。
【図６】キャビネットの取付例を説明するための要部正面図である。
【図７】押さえ部材の他の配置例を示す要部正面図である。
【図８】図７の実施形態のキャビネットの取付例を説明するための要部正面図である。
【図９】図８のＩＸ−ＩＸ線断面図である。
【図１０】ベース部材と押さえ部材の更に他の配置例を示す要部斜視図である。
【図１１】図１０の実施形態のキャビネットの取付例を説明するための要部正面図である。
【図１２】図１０の実施形態のベース部材と押さえ部材との関係を示す正面図である。
【図１３】図１０の実施形態のキャビネットの取付例を説明するための要部正面図である。
【図１４】Ａは図１０の実施形態のキャビネットの取付例を説明するための要部正面図、ＢはＡのＢ―Ｂ線断面図である。
【符号の説明】
【００２２】
１      壁面
２      キャビネット
２ａ    背板
３      取付用具
３ａ    ベース部材
３ｂ    軸
３ｃ    押さえ部材
３ｄ    ナット部材
５      開口部
【図１】
2008272288.tif 000003
【図２】
2008272288.tif 000004
【図３】
2008272288.tif 000005
【図４】
2008272288.tif 000006
【図５】
2008272288.tif 000007
【図６】
2008272288.tif 000008
【図７】
2008272288.tif 000009
【図８】
2008272288.tif 000010
【図９】
2008272288.tif 000011
【図１０】
2008272288.tif 000012
【図１１】
2008272288.tif 000013
【図１２】
2008272288.tif 000014
【図１３】
2008272288.tif 000015
【図１４】
2008272288.tif 000016